(57)【要約】【課題】災害発生等の緊急時における安全性の向上および緊急時における電力消費量の低減を実現し得るテレビを提供する。【解決手段】表示部１４および音声出力部１５に対する電源部１６からの電力供給を制御する制御部２０を備え、制御部２０は、待機状態において外部から緊急情報Ｄｕを入力したときに電源部１６を制御して表示部１４に対する電力供給を停止させた状態で音声出力部１５に対して電力を供給させることによって表示部１４による画像表示を停止させた状態で音声出力部１５から緊急情報Ｄｕについての音声を出力させる起動処理を実行する。【選択図】図１
2008167110.tif 000002
【特許請求の範囲】
【請求項１】
表示部および音声出力部に対する電源部からの電力供給を制御する制御部を備えたテレビであって、
前記制御部は、待機状態において当該テレビの外部から緊急情報を入力したときに前記電源部を制御して前記表示部に対する電力供給を停止させた状態で前記音声出力部に対して電力を供給させることによって当該表示部による画像表示を停止させた状態で当該音声出力部から当該緊急情報についての音声を出力させる起動処理を実行するテレビ。
【請求項２】
前記制御部は、放送信号に含まれている前記緊急情報を入力したとき、および通信回線を介して前記緊急情報を入力したときのいずれかの条件を満たしたときに前記起動処理を実行する請求項１記載のテレビ。
【請求項３】
前記制御部は、前記表示部に対する電力供給を停止させている状態において、電力供給開始指示操作が行われたときに前記電源部を制御して当該表示部に対する電力供給を開始させる請求項１または２記載のテレビ。
【請求項４】
振動を検出する検出部を備え、
前記制御部は、前記電力供給開始指示操作が行われた時点において前記検出部によって所定レベル以上の振動が検出されているときには、前記表示部に対する電力供給の開始を保留する請求項３記載のテレビ。
【請求項５】
前記制御部は、前記電力供給の開始を保留している状態において当該保留状態を解除する解除指示操作が行われ、かつその時点において前記検出部によって検出されている振動が前記所定レベル未満のときには、前記保留状態を解除して前記表示部に対する電力供給を開始させる請求項４記載のテレビ。
【請求項６】
前記制御部は、前記緊急情報の内容を印刷可能な印刷データを生成して印刷部に出力する請求項１から５のいずれかに記載のテレビ。
【請求項７】
テレビの表示部および音声出力部に対する電源部からの電力供給を制御して当該テレビの起動を制御する起動制御方法であって、
前記テレビの待機状態において当該テレビの外部から緊急情報を入力したときに前記電源部を制御して前記表示部に対する電力供給を停止させた状態で前記音声出力部に対して電力を供給させることによって当該表示部による画像表示を停止させた状態で当該音声出力部から当該緊急情報についての音声を出力させる起動制御方法。
【発明の詳細な説明】
【技術分野】
【０００１】
本発明は、表示部および音声出力部に対する電源部からの電力供給を制御する制御部を備えたテレビ、並びにそのテレビの表示部および音声出力部に対する電源部からの電力供給を制御してテレビの起動を制御する起動制御方法に関するものである。
【背景技術】
【０００２】
この種のテレビとして、特開２００３−３４８０３４号公報に開示された緊急情報視聴端末が知られている。この緊急情報視聴端末は、放送受信手段、通信送受信手段、制御手段および表示手段を備えて構成されている。この緊急情報視聴端末では、地震等の災害発生時に外部の緊急情報送信装置から通信回線を介して送信される緊急情報通知を通信送受信手段が受信し、制御手段が、緊急情報通知に基づいて放送受信手段および表示手段に起動指示を通知する。これに応じて、放送受信手段、並びに表示手段の映像出力部および音声出力部が起動して、放送受信手段が緊急情報送信装置から放送される緊急情報を受信し、表示手段の映像出力部および音声出力部が緊急情報の映像表示および音声出力をそれぞれ行う。このため、この緊急情報視聴端末では、非起動状態において緊急情報が放送された場合であっても、放送受信手段および表示手段が自動的に起動して緊急情報を視聴者に提供することが可能となっている。
【０００３】
【特許文献１】特開２００３−３４８０３４号公報（第９−１２頁、第３図）
【発明の開示】
【発明が解決しようとする課題】
【０００４】
ところが、従来の緊急情報視聴端末には、以下の問題点がある。すなわち、この緊急情報視聴端末では、緊急情報通知が送信されたときに、表示手段の映像出力部および音声出力部が自動的に起動して、緊急情報の映像表示および音声出力をそれぞれ行っている。一方、地震等の災害発生時において電気器具の転倒に起因する火災等の二次災害を防止して安全性を確保するためには、発熱量が大きい回路等への電源供給を停止するのが好ましい。しかしながら、上記の緊急情報視聴端末では、発熱量の比較的大きな表示手段の映像出力部が緊急情報通知の送信時に自動的に起動するため、上記した安全性の確保が困難となっている。また、災害発生時には、公共通信や復旧作業に用いる公共用の電力を確保するために、災害発生地域の各家庭や事業所における電力消費を低く抑える必要がある。しかしながら、上記の緊急情報視聴端末では、電力消費量の比較的大きな表示手段の映像出力部が緊急情報通知の送信時に自動的に起動するため、災害発生地域における家庭や事業所に設置されている緊急情報視聴端末が一斉に起動したときには公共用の電力の確保が困難となるおそれがある。
【０００５】
本発明は、かかる問題点に鑑みてなされたものであり、災害発生等の緊急時における安全性の向上および緊急時における電力消費量の低減を実現し得るテレビおよび起動制御方法を提供することを主目的とする。
【課題を解決するための手段】
【０００６】
上記目的を達成すべく本発明に係るテレビは、表示部および音声出力部に対する電源部からの電力供給を制御する制御部を備えたテレビであって、前記制御部は、待機状態において当該テレビの外部から緊急情報を入力したときに前記電源部を制御して前記表示部に対する電力供給を停止させた状態で前記音声出力部に対して電力を供給させることによって当該表示部による画像表示を停止させた状態で当該音声出力部から当該緊急情報についての音声を出力させる起動処理を実行する。
【０００７】
また、本発明に係る起動制御方法は、テレビの表示部および音声出力部に対する電源部からの電力供給を制御して当該テレビの起動を制御する起動制御方法であって、前記テレビの待機状態において当該テレビの外部から緊急情報を入力したときに前記電源部を制御して前記表示部に対する電力供給を停止させた状態で前記音声出力部に対して電力を供給させることによって当該表示部による画像表示を停止させた状態で当該音声出力部から当該緊急情報についての音声を出力させる。
【０００８】
このテレビおよび起動制御方法によれば、待機状態においてテレビの外部から緊急情報を入力したときに電源部を制御して表示部に対する電力供給を停止させた状態で音声出力部に対して電力を供給させることによって表示部による画像表示を停止させた状態で音声出力部から緊急情報についての音声を出力させることにより、地震等の災害発生時において、発熱量の比較的大きな表示部に対する電力供給を停止させた状態を維持することができるため、音声による緊急情報の伝達を行いつつ、テレビの転倒などに起因する火災等の二次災害を防止して安全性を十分に向上させることができる。また、地震等の災害発生時において、電力消費量の比較的大きな表示部に対する電力供給を停止させた状態を維持することができるため、テレビにおける電力消費量を低く抑えることができる。このため、災害発生地域における家庭や事業所に設置されているテレビが一斉に起動したとしても、その地域全体における電力消費量を低く抑えることができる結果、公共用の電力を確実に確保することができる。
【０００９】
また、本発明に係るテレビは、前記制御部が、放送信号に含まれている前記緊急情報を入力したとき、および通信回線を介して前記緊急情報を入力したときのいずれかの条件を満たしたときに前記起動処理を実行する。
【００１０】
このテレビによれば、放送信号に含まれている緊急情報を入力したとき、および通信回線を介して緊急情報を入力したときのいずれかの条件を満たしたときに制御部が起動処理を実行することにより、例えば、通信回線を介して緊急情報を送信する外部のサーバー等との接続（通信）が困難なときには、放送信号に含まれている緊急情報によって起動処理を実行することができ、それとは逆に放送信号の受信が困難なときには、通信回線を介して入力した緊急情報によって起動処理を実行することができる。したがって、このテレビによれば、起動処理を確実に実行して緊急情報を確実に伝達することができる。
【００１１】
さらに、本発明に係るテレビは、前記制御部が、前記表示部に対する電力供給を停止させている状態において、電力供給開始指示操作が行われたときに前記電源部を制御して当該表示部に対する電力供給を開始させる。
【００１２】
このテレビによれば、表示部に対する電力供給を停止させている状態において、電力供給開始指示操作が行われたときに制御部が電源部を制御して表示部に対する電力供給を開始させることにより、緊急情報についての画像表示が必要なときにはユーザーの操作によって緊急情報を画像で視認することができるため、緊急情報をより有効に活用することができる。
【００１３】
また、本発明に係るテレビは、振動を検出する検出部を備え、前記制御部が、前記電力供給開始指示操作が行われた時点において前記検出部によって所定レベル以上の振動が検出されているときには、前記表示部に対する電力供給の開始を保留する。
【００１４】
このテレビによれば、電力供給開始指示操作が行われた時点において検出部によって所定レベル以上の振動が検出されているときには、制御部が表示部に対する電力供給の開始を保留することにより、ユーザーによって電力供給開始指示操作が行われたとしても、転倒するおそれがあるほどテレビが振動しているとき（地震が起きているとき）には、表示部に対する電力供給を停止させた状態を維持することができるため、安全性を一層向上させることができる。
【００１５】
さらに、本発明に係るテレビは、前記制御部が、前記電力供給の開始を保留している状態において当該保留状態を解除する解除指示操作が行われ、かつその時点において前記検出部によって検出されている振動が前記所定レベル未満のときには、前記保留状態を解除して前記表示部に対する電力供給を開始させる。
【００１６】
このテレビによれば、電力供給の開始を保留している状態において保留状態を解除する解除指示操作が行われ、かつその時点において検出部によって検出されている振動が所定レベル未満のときには、制御部が保留状態を解除して表示部に対する電力供給を開始させることにより、テレビの振動が収まったとき（地震が収まったとき）には、解除指示操作を行うことで表示部による緊急情報についての画像表示を開始させることができる。
【００１７】
また、本発明に係るテレビは、前記制御部が、前記緊急情報の内容を印刷可能な印刷データを生成して印刷部に出力する。
【００１８】
このテレビによれば、制御部が緊急情報の内容を印刷可能な印刷データを生成して印刷部に出力することにより、印刷データに基づく緊急情報の内容を印刷部に印刷させることで、音声による緊急情報を聞き逃したり、緊急情報の送信が中断したとしても、緊急情報を確実に把握することができる。
【発明を実施するための最良の形態】
【００１９】
以下、本発明に係るテレビおよび起動制御方法の最良の形態について、添付図面を参照して説明する。図１に示すプロジェクションテレビ１（以下、単に「テレビ１」ともいう）は、本発明に係るテレビの一例であって、チューナ１１、デコーダ１２、画像音声処理部１３、表示部１４、音声出力部１５、電源部１６、通信部１７、プリンタ１８、振動検出部１９、制御部２０、記憶部２１、リモコン２２およびＩＲ受信部２３を備えて構成されている。
【００２０】
チューナ１１は、制御部２０の制御に従い、アンテナ１１ａを介して受信した地上デジタル放送、ＢＳ放送およびＣＳ放送の放送信号Ｓｂから制御部２０によって指定されたチャンネルの放送信号Ｓｂを抽出してデコーダ１２に出力する。デコーダ１２は、チューナ１１から出力された放送信号Ｓｂに含まれている緊急情報Ｄｕを抽出して放送信号Ｓｂと共に制御部２０に出力する。画像音声処理部１３は、デコーダ１２から出力されて制御部２０によって転送された放送信号Ｓｂおよび緊急情報Ｄｕに基づいて画像信号Ｓｇおよび音声信号Ｓｓを生成し、表示部１４および音声出力部１５にそれぞれ出力する。
【００２１】
表示部１４は、プロジェクタおよびスクリーンパネル等（図示せず）を備え、画像音声処理部１３から出力された画像信号Ｓｇに基づく各種の画像を表示する。具体的には、表示部１４は、画像信号Ｓｇに基づいて光変調した投写光をスクリーンパネルの背面側から投写することで各種の画像をスクリーンパネルに表示する。この場合、上記のプロジェクタは、例えば、光源と、光変調素子としての液晶ライトバルブと、投写レンズ（いずれも図示せず）とを備えて構成されて、制御部２０の制御に従って投写光を出力する。なお、液晶ライトバルブに代えて、ＤＭＤ（Digital Micromirror Device：ＤＭＤは、米国テキサス・インスツルメンツ社の商標）を用いることもできる。音声出力部１５は、制御部２０の制御に従い、画像音声処理部１３から出力された音声信号Ｓｓに基づく音声を出力する。
【００２２】
電源部１６は、制御部２０の制御に従い、テレビ１を構成する各構成要素に対して電力Ｐを供給する。通信部１７は、インターネット３（本発明における通信回線の一例）を介してサーバー２に接続して各種のデータを送受信する。なお、公衆回線網を介してサーバー２にダイヤルアップ接続する通信モデムを通信部１７として採用することもできる。ここで、サーバー２は、一例として、災害発生の予報や避難の指示等の緊急情報を提供する災害情報提供機関等のコールセンターに設置されて、インターネット３を介して接続されたテレビ１に対して緊急情報Ｄｕを送信する。プリンタ１８は、一例としてカラーインクジェットプリンタで構成されて、制御部２０から出力される印刷データＤｐに基づく画像や文字を印刷する。振動検出部１９は、テレビ１の振動レベルを検出して振動レベル信号Ｓｄを出力する。
【００２３】
制御部２０は、テレビ１を構成する各構成要素を制御する。また、制御部２０は、リモコン２２の操作に応じて、テレビ１の各部が直ちに作動可能な状態（以下、「待機状態」ともいう）において、後述する緊急情報入力監視処理５０（図３参照）を実行する。また、制御部２０は、緊急情報入力監視処理５０において、放送信号Ｓｂに含まれている緊急情報Ｄｕを入力したとき、および通信部１７がインターネット３を介してサーバー２から緊急情報Ｄｕを入力したときには、後述する緊急起動処理６０（本発明における起動処理：図４参照）を実行して、音声のみを出力させるモード（以下、このモードを「緊急モード」ともいう）でテレビ１を起動させる。記憶部２１は、上記した印刷データＤｐを記憶する。リモコン２２は、図２に示すように、電源キー２２ａ、選局キー２２ｂ、プリント開始キー２２ｃ、表示開始キー２２ｄおよびリセットキー２２ｅなどの各種キーを備えて構成され、これらのキーが操作されたときに各キーに対応する赤外線信号Ｓｉを出力する。ＩＲ受信部２３は、リモコン２２から出力された赤外線信号Ｓｉを受光してリモコン２２の各キー（操作内容）に対応する操作信号Ｓｏを制御部２０に出力する。
【００２４】
次に、テレビ１の全体的な動作について、図面を参照して説明する。このテレビ１では、メイン電源が投入されているときには、チューナ１１、デコーダ１２、通信部１７および制御部２０に電力が供給されて、テレビ１が待機状態に維持されている。この待機状態において、制御部２０は、図３に示す緊急情報入力監視処理５０を実行する。この緊急情報入力監視処理５０では、制御部２０は、デコーダ１２または通信部１７を介して緊急情報Ｄｕを入力したか否かを繰り返して判別する（ステップ５１）。一方、例えば、ある地域において地震が発生したときには、災害情報提供機関では、その地震の影響を受けるおそれのある地域のテレビ１に対して、地震情報を示す緊急情報Ｄｕをサーバー２から送信させる。また、災害情報提供機関では、緊急情報Ｄｕを含んだ放送信号Ｓｂの送信を各テレビ放送局に対して要請する。この場合、その地域のテレビ１では、通信部１７が、インターネット３を介してサーバー２から送信された緊急情報Ｄｕを受信して、制御部２０に出力する。この際に、制御部２０は、上記した緊急情報入力監視処理５０のステップ５１において、緊急情報Ｄｕを入力したと判別して、図４に示す緊急起動処理６０を実行する（ステップ５２）。
【００２５】
この緊急起動処理６０では、制御部２０は、電源部１６を制御して、表示部１４を除くテレビ１の各部に対する電力供給を開始させる（ステップ６１）。これにより、テレビ１が緊急モードとして自動的に起動する。次いで、チューナ１１が、制御部２０の制御に従い、所定のチャンネル（ＮＨＫ放送チャンネル）へ強制的に切り替えて放送信号Ｓｂを抽出してデコーダ１２に出力する。続いて、デコーダ１２が、チューナ１１から出力された放送信号Ｓｂに含まれている緊急情報Ｄｕを抽出する。次いで、制御部２０は、緊急情報Ｄｕを画像音声処理部１３に転送すると共に（ステップ６２）、緊急情報Ｄｕに基づいて印刷データＤｐを生成して記憶部２１に記憶させる（ステップ６３）。続いて、画像音声処理部１３が、緊急情報Ｄｕに基づいて画像信号Ｓｇおよび音声信号Ｓｓを生成し、表示部１４および音声出力部１５にそれぞれ出力する。なお、上記した緊急情報入力監視処理５０のステップ５１において、通信部１７による緊急情報Ｄｕの受信に先立ってデコーダ１２から緊急情報Ｄｕが出力されたときには、制御部２０は、その時点で緊急起動処理６０を実行する。
【００２６】
この場合、表示部１４に対する電力供給が停止しているため、表示部１４による画像表示が停止した状態に維持される。一方、音声出力部１５は、制御部２０の制御に従い、画像音声処理部１３から出力された音声信号Ｓｓに基づく地震情報を伝える音声の出力を開始する（ステップ６４）。ここで、上記したように、緊急モードでの起動時において表示部１４に対する電力供給が停止している。このため、このテレビ１では、例えば地震等の災害発生時におけるテレビ１の転倒に起因する火災等の二次災害が防止されて、安全性が十分に向上されている。また、表示部１４に対する電力供給が停止した状態に維持されるため、テレビ１における電力消費量が低く抑えられている。このため、災害発生地域における家庭や事業所に設置されている各テレビ１が緊急モードで一斉に起動したとしても、その地域全体における電力消費量も低く抑えられる結果、公共用の電力が確実に確保される。なお、放送信号Ｓｂから抽出した緊急情報Ｄｕに代えて、通信部１７によって受信された（サーバー２から送信された）緊急情報Ｄｕに基づいて印刷データＤｐや音声信号Ｓｓの生成（ステップ６３，６４の実行）を行わせることもできる。
【００２７】
次いで、制御部２０は、図５に示す緊急情報印刷処理７０および図６に示す緊急情報表示処理８０を実行する（ステップ６５）。具体的には、制御部２０は、上記した緊急起動処理６０のステップ６４の実行後において、リモコン２２のプリント開始キー２２ｃに対応する操作信号ＳｏがＩＲ受信部２３から出力されたか否か、つまりプリント開始キー２２ｃが操作されたか否かを判別する（緊急情報印刷処理７０のステップ７１）。この場合、ユーザーがプリント開始キー２２ｃを操作したときには、制御部２０は、その旨を判別して、記憶部２１に記憶されている印刷データＤｐを読み出して、プリンタ１８に出力する（ステップ７２）。これに応じて、プリンタ１８が印刷データＤｐに基づいて緊急情報を示す文字や画像を印刷する。
【００２８】
また、制御部２０は、上記した緊急起動処理６０のステップ６４の実行後において、表示開始キー２２ｄに対応する操作信号ＳｏがＩＲ受信部２３から出力されたか否か、つまり表示開始キー２２ｄが操作（本発明における電力供給開始指示操作）されたか否かを判別する（緊急情報表示処理８０のステップ８１）。この場合、ユーザーが表示開始キー２２ｄを操作したときには、制御部２０は、その旨を判別して、続いて、振動検出部１９から出力されている振動レベル信号Ｓｄに基づいて振動レベルを特定して、特定した振動レベルが安全なレベルとして予め規定されたレベル（本発明における所定レベル：以下「安全レベル」ともいう）以上であるか否かを判別する（ステップ８２）。この際に、特定した振動レベルが安全レベル以上のとき（言い替えれば振動が大きいとき）には、制御部２０は、表示部１４に対する電力供給を停止させた状態のまま、つまり表示部１４に対する電力供給開始を保留にして緊急情報表示処理８０を終了する。この場合、振動レベルが安全レベル以上のときには、表示開始キー２２ｄを操作したとしても、表示部１４に対する電力供給が停止した状態に維持されるため、安全性がさらに向上される。なお、制御部２０は、電力供給開始を保留にしたときには、図２に示すＬＥＤ２４を点灯させる。このため、ユーザーは、電力供給開始が保留にされたことを確実に認識することができる。
【００２９】
一方、特定した振動レベルが予め規定された安全レベル未満のときには、制御部２０は、ステップ８２においてその旨を判別して、次いで、振動検出部１９を制御して、表示部１４に対する電力供給を開始させる（ステップ８３）。この際に、表示部１４におけるプロジェクタの光源が電力供給によって発光する。続いて、プロジェクタの液晶ライトバルブが光源部からの光を画像音声処理部１３から出力されている画像信号Ｓｇに基づいて投写光に光変調する。これにより、図７に示すように、画像信号Ｓｇに基づく地震情報を伝える画像Ｇｕが表示部１４に表示される。次いで、制御部２０は、振動レベル信号Ｓｄに基づいて特定した振動レベルが安全レベル未満であるか否かを繰り返して判別することにより（ステップ８４）、テレビ１の振動レベルを監視する。この際に、振動レベルが安全レベル以上となった（安全レベル未満ではなくなった。つまり振動が大きい）ときには、制御部２０は、表示部１４に対する電力供給を中断する（ステップ８５）。なお、制御部２０は、電力供給を中断したときには、図２に示すＬＥＤ２４を点灯させる。このため、ユーザーは、電力供給が中断されたことを確実に認識することができる。
【００３０】
ここで、制御部２０は、緊急情報表示処理８０において表示部１４に対する電力供給開始の保留および電力供給の中断を行ったときには、図８に示す保留・中断解除処理９０を実行する。この保留・中断解除処理９０では、制御部２０は、リセットキー２２ｅに対応する操作信号ＳｏがＩＲ受信部２３から出力されたか否か、つまりリセットキー２２ｅが操作（本発明における解除指示操作）されたか否かを判別する（ステップ９１）。この場合、ユーザーがリセットキー２２ｅを操作したときには、制御部２０は、その旨を判別して、続いて、振動検出部１９から出力されている振動レベル信号Ｓｄに基づいて特定した振動レベルが安全レベル未満であるか否かを判別する（ステップ９２）。この場合、制御部２０は、振動レベルが安全レベル未満ではない（安全レベル以上である。つまり振動が大きい）と判別したときには、表示部１４に対する電力供給開始を保留したまま（電力供給を中断したまま）上記したステップ９１を実行する。一方、ステップ９２において、振動レベルが安全レベル未満（つまり振動が小さい）であると判別したときには、制御部２０は、表示部１４に対する電力供給開始の保留（または電力供給の中断）を解除して電力供給を開始（再開）する（ステップ９３）。次いで、制御部２０は、振動レベルが安全レベル以上であるか否かを繰り返して判別することにより（ステップ９４）、テレビ１の振動レベルを監視して、振動レベルが安全レベル以上となったときには、表示部１４に対する電力供給を再び中断し（ステップ９５）、上記したステップ９１を実行する。
【００３１】
このように、このテレビ１および起動制御方法によれば、待機状態においてテレビ１の外部から緊急情報Ｄｕを入力したときに電源部１６を制御して表示部１４に対する電力供給を停止させた状態で音声出力部１５に対して電力供給させることによって表示部１４による画像表示を停止させた状態で音声出力部１５から緊急情報についての音声を出力させる緊急起動処理６０を実行することにより、地震等の災害発生時において、発熱量の比較的大きな表示部１４に対する電力供給を停止させた状態を維持することができるため、音声による緊急情報の伝達を行いつつ、テレビ１の転倒などに起因する火災等の二次災害を防止して安全性を十分に向上させることができる。また、地震等の災害発生時において、電力消費量の比較的大きな表示部１４に対する電力供給を停止させた状態を維持することができるため、テレビ１における電力消費量を低く抑えることができる。このため、災害発生地域における家庭や事業所に設置されているテレビ１が一斉に起動したとしても、その地域全体における電力消費量を低く抑えることができる結果、公共用の電力を確実に確保することができる。
【００３２】
また、このテレビ１および起動制御方法によれば、放送信号Ｓｂに含まれている緊急情報Ｄｕを入力したとき、およびインターネット３を介して通信部１７がサーバー２から緊急情報Ｄｕを入力したときのいずれかの条件を満たしたときに緊急起動処理６０を実行することにより、例えば、サーバー２と通信部１７との接続が困難なときには、放送信号Ｓｂに含まれている緊急情報Ｄｕによって緊急起動処理６０を実行することができ、それとは逆に放送信号Ｓｂの受信が困難なときには、通信部１７が入力する緊急情報Ｄｕによって緊急起動処理６０を実行することができる。したがって、このテレビ１および起動制御方法によれば、緊急起動処理６０を確実に実行して緊急情報を確実に伝達することができる。
【００３３】
さらに、このテレビ１および起動制御方法によれば、表示部１４に対する電力供給を停止させている状態において、表示開始キー２２ｄが操作されたときに表示部１４に対する電力供給を開始させることにより、緊急情報についての画像表示が必要なときにはユーザーの操作によって緊急情報を画像で視認することができるため、緊急情報をより有効に活用することができる。
【００３４】
また、このテレビ１および起動制御方法によれば、表示開始キー２２ｄが操作された時点において振動検出部１９によって安全レベル以上の振動レベルが検出されているときには、表示部１４に対する電力供給を保留することにより、ユーザーによって表示開始キー２２ｄが操作されたとしても、転倒するおそれがあるほどテレビ１が振動しているとき（つまり地震が起きているとき）には、表示部１４に対する電力供給を停止させた状態を維持することができるため、安全性を一層向上させることができる。
【００３５】
また、このテレビ１および起動制御方法によれば、電力供給を保留している状態においてリセットキー２２ｅが操作され、かつその時点において振動検出部１９によって検出される振動レベルが安全レベル未満のときには、電力供給の保留を解除して表示部１４に対する電力供給を開始させることにより、テレビ１の振動が収まったとき（つまり地震が収まったとき）には、リセットキー２２ｅを操作することで表示部１４による緊急情報についての画像表示を開始させることができる。
【００３６】
また、このテレビ１および起動制御方法によれば、緊急情報の内容を印刷可能な印刷データＤｐを生成してプリンタ１８に出力することにより、印刷データＤｐに基づく緊急情報の内容をプリンタ１８に印刷させることで、音声による緊急情報を聞き逃したり、緊急情報Ｄｕの送信が中断したとしても、緊急情報を確実に把握することができる。
【００３７】
なお、本発明は、上記の構成に限定されない。例えば、プロジェクタを備えて表示部１４を構成した例について上記したが、ＣＲＴ、液晶表示パネルおよびプラズマディスプレイ等で構成した表示部１６を備えた各種のテレビに対しても本発明を適用することができ、この構成においても上記の効果と同様の効果を実現することができる。また、プリンタ１８を備えた例について上記したが、テレビ１とは別体のプリンタに対して印刷データＤｐを出力する構成を採用することもできる。また、上記のリモコン２２は、表示部１４に対して電力供給を開始させて緊急情報についての画像表示を開始させるための専用の表示開始キー２２ｄを備えているが、緊急モードで起動した状態において、電源キー２２ａを表示開始指示操作（本発明における電力供給開始指示操作）用のキーとして機能させることもできる。
【図面の簡単な説明】
【００３８】
【図１】テレビ１の構成を示すブロック図である。
【図２】テレビ１の正面図である。
【図３】緊急情報入力監視処理５０のフローチャートである。
【図４】緊急起動処理６０のフローチャートである。
【図５】緊急情報印刷処理７０のフローチャートである。
【図６】緊急情報表示処理８０のフローチャートである。
【図７】画像Ｇｕの表示画面図である。
【図８】保留・中断解除処理９０のフローチャートである。
【符号の説明】
【００３９】
１  テレビ、２  サーバー、３  インターネット、１４  表示部、１５  音声出力部、１６  電源部、１９  振動検出部、２０  制御部、２２ｄ  表示開始キー、２２ｅ  リセットキー、６０  緊急起動処理、７０  緊急情報印刷処理、８０  緊急情報表示処理、９０  保留・中断解除処理、Ｄｐ  印刷データ、Ｄｕ  緊急情報、Ｇｕ  画像
【図１】
2008167110.tif 000003
【図２】
2008167110.tif 000004
【図３】
2008167110.tif 000005
【図４】
2008167110.tif 000006
【図５】
2008167110.tif 000007
【図６】
2008167110.tif 000008
【図７】
2008167110.tif 000009
【図８】
2008167110.tif 000010